(57)【要約】【課題】接続線が電気的に開放された後も負荷の動作を可能にする電力供給回路及び携帯電話装置を提供すること。【解決手段】第１接続線Ｌ１上であって、電源部３１と第１負荷３２との間に配置され、電源部３１から供給される電圧を第１負荷３２に適した電圧に変換する第１電圧変換部３３と、第１接続線Ｌ１上であって、電源部３１と第１電圧変換部３３との間に配置され、所定以上の電流が流れた場合に第１接続線Ｌ１を電気的に開放する開放部３４と、開放部３４と第１電圧変換部３３との間の第１接続線Ｌ１に接続されている第２接続線Ｌ２と、第２接続線Ｌ２に接続されており、開放部３４により第１接続線Ｌ１が電気的に開放されたか否かを判断する開放判断部３５と、開放判断部３５により第１接続線Ｌ１が開放されたと判断した場合に、電源部３１と開放部３４との間の第１接続線Ｌ１と第２接続線Ｌ２とを接続する制御部３６とを備える。【選択図】図２
2012023905.tif 000002
【特許請求の範囲】
【請求項１】
電源と、
第１負荷と、
前記電源と前記第１負荷とを接続する第１接続線と、
前記第１接続線上であって、前記電源と前記第１負荷との間に配置され、前記電源から供給される電圧を前記第１負荷に適した電圧に変換する第１電圧変換部と、
前記第１接続線上であって、前記電源と前記第１電圧変換部との間に配置され、所定以上の電流が流れた場合に前記第１接続線を電気的に開放する開放部と、
前記開放部と前記第１電圧変換部との間の前記第１接続線に接続されている第２接続線と、
前記第２接続線に接続されており、前記開放部により前記第１接続線が電気的に開放されたか否かを判断する開放判断部と、
前記開放判断部により前記第１接続線が開放されたと判断した場合に、前記電源と前記開放部との間の前記第１接続線と前記第２接続線とを接続する制御部とを備える電力供給回路。
【請求項２】
前記開放判断部は、前記開放部が電気的に開放されていない場合には、前記第２接続線を介して所定の電圧を検出すると共に、前記開放部が電気的に開放されて前記第２接続線を介して所定の電圧の検出ができなくなった場合に、前記開放部と前記第１電圧変換部との間の前記第１接続線が短絡状態になったことを検出する短絡検出部により構成される請求項１記載の電力供給回路。
【請求項３】
前記第１負荷とは異なる複数の負荷と、
前記電源と前記複数の負荷とを接続する第３接続線と、
前記第３接続線上であって、前記電源と前記複数の負荷との間に配置され、前記電源から供給される電圧を前記複数の負荷に適した電圧に変換する第２電圧変換部を備え、
前記第３接続線の始端は、前記開放部と前記第１電圧変換部との間であって、前記第１接続線と前記第２接続線の接続点と、前記第１電圧変換部の間に接続されており、
前記制御部は、前記開放判断部により前記第１接続線が電気的に開放されたと判断し、前記電源と前記開放部との間の前記第１接続線と前記第２接続線とを接続した場合に、前記第１負荷を含め、動作対象となる負荷を前記複数の負荷の中から選択し、選択された負荷にのみ電圧を供給する請求項１記載の電力供給回路。
【請求項４】
前記第１負荷は、表示部であり、
前記制御部は、前記開放判断部により前記第１接続線が電気的に開放されたと判断し、前記電源と前記開放部との間の前記第１接続線と前記第２接続線とを接続した場合に、前記表示部に前記第１接続線が電気的に開放されたことに関する情報を表示する請求項１乃至３のいずれか一項に記載の電力供給回路。
【請求項５】
前記請求項１乃至４のいずれか一項に記載の電力供給回路を有する携帯電話装置であって、
連結部により連結される第１筐体と第２筐体を有し、
前記電源及び前記開放部は、前記第１筐体に配置され、
前記第１負荷は、前記第２筐体に配置される携帯電話装置。
【請求項６】
電源と、
第１負荷と、
第２負荷と、
前記電源と前記第１負荷とを接続する第１接続線と、
前記電源と前記第２負荷とを接続する第２接続線と、
前記第１接続線上であって、前記電源と前記第１負荷との間に配置され、前記電源から供給される電圧を前記第１負荷に適した電圧に変換する第１電圧変換部と、
前記第１接続線上であって、前記電源と前記第１電圧変換部との間に配置され、所定以上の電流が流れた場合に前記第１接続線を電気的に開放する開放部と、
前記開放部と前記第１電圧変換部との間の前記第１接続線に接続されている第３接続線と、
前記第３接続線に接続されており、前記開放部により前記第１接続線が電気的に開放されたか否かを判断する開放判断部と、
前記第２接続線上であって、前記電源と前記第２負荷との間に配置され、前記電源から供給される電圧を前記第２負荷に適した電圧に変換する第２電圧変換部と、
前記開放判断部により前記第１接続線が開放されたと判断した場合に、前記第２電圧変換部と前記第１負荷とを接続し、前記第２電圧変換部と前記第２負荷とを非接続にする制御部を備え、
前記制御部は、前記第２電圧変換部と前記第１負荷とを接続した場合、前記電源から供給される電圧を前記第１負荷に適した電圧に変換するように前記第２電圧変換部を制御し、
前記第２接続線の始端は、前記電源と前記開放部との間に接続されている電力供給回路。
【発明の詳細な説明】
【技術分野】
【０００１】
本発明は、電力の供給を制御する電力供給回路及び携帯電話装置に関する。
【背景技術】
【０００２】
携帯電話装置では、発熱等の障害の発生を防止するため、搭載している電池パック等の電源から供給される電流値が所定の値を超えて過電流になると、電源と負荷との間の回路を電気的に遮断する保護回路が搭載されている（例えば、特許文献１を参照）。
【０００３】
例えば、保護回路は、ヒューズにより構成されており、何らかの原因により電源と負荷とを接続する接続線が短絡し、大電流が流れた場合に、ヒューズが溶断することによって、回路が電気的に遮断される構成になっている。
【先行技術文献】
【特許文献】
【０００４】
【特許文献１】特開２００４−１４６９６０号公報
【発明の概要】
【発明が解決しようとする課題】
【０００５】
しかしながら、ヒューズは、接続線を物理的に溶断するため、その後、自然に溶断個所が物理的に接続されることはない。よって、携帯電話装置は、ヒューズが溶断した後は、負荷を動作させることができない。
【０００６】
本発明は、接続線が電気的に開放された後も負荷の動作を可能にする電力供給回路及び携帯電話装置を提供することを目的とする。
【課題を解決するための手段】
【０００７】
本発明に係る電力供給回路は、上記課題を解決するために、電源と、第１負荷と、前記電源と前記第１負荷とを接続する第１接続線と、前記第１接続線上であって、前記電源と前記第１負荷との間に配置され、前記電源から供給される電圧を前記第１負荷に適した電圧に変換する第１電圧変換部と、前記第１接続線上であって、前記電源と前記第１電圧変換部との間に配置され、所定以上の電流が流れた場合に前記第１接続線を電気的に開放する開放部と、前記開放部と前記第１電圧変換部との間の前記第１接続線に接続されている第２接続線と、前記第２接続線に接続されており、前記開放部により前記第１接続線が電気的に開放されたか否かを判断する開放判断部と、前記開放判断部により前記第１接続線が開放されたと判断した場合に、前記電源と前記開放部との間の前記第１接続線と前記第２接続線とを接続する制御部とを備える構成である。
【０００８】
また、上記電力供給回路は、前記開放判断部は、前記開放部が電気的に開放されていない場合には、前記第２接続線を介して所定の電圧を検出すると共に、前記開放部が電気的に開放されて前記第２接続線を介して所定の電圧の検出ができなくなった場合に、前記開放部と前記第１電圧変換部との間の前記第１接続線が短絡状態になったことを検出する短絡検出部により構成されることが好ましい。
【０００９】
また、上記電力供給回路は、前記第１負荷とは異なる複数の負荷と、前記電源と前記複数の負荷とを接続する第３接続線と、前記第３接続線上であって、前記電源と前記複数の負荷との間に配置され、前記電源から供給される電圧を前記複数の負荷に適した電圧に変換する第２電圧変換部を備え、前記第３接続線の始端は、前記開放部と前記第１電圧変換部との間であって、前記第１接続線と前記第２接続線の接続点と、前記第１電圧変換部の間に接続されており、前記制御部は、前記開放判断部により前記第１接続線が電気的に開放されたと判断し、前記電源と前記開放部との間の前記第１接続線と前記第２接続線とを接続した場合に、前記第１負荷を含め、動作対象となる負荷を前記複数の負荷の中から選択し、選択された負荷にのみ電圧を供給することが好ましい。
【００１０】
また、上記電力供給回路は、前記第１負荷は、表示部であり、前記制御部は、前記開放判断部により前記第１接続線が電気的に開放されたと判断し、前記電源と前記開放部との間の前記第１接続線と前記第２接続線とを接続した場合に、前記表示部に前記第１接続線が電気的に開放されたことに関する情報を表示することが好ましい。
【００１１】
また、本発明に係る携帯電話装置は、上記課題を解決するために、上記電力供給回路を有し、連結部により連結される第１筐体と第２筐体を有し、前記電源及び前記開放部は、前記第１筐体に配置され、前記第１負荷は、前記第２筐体に配置される構成である。
【００１２】
本発明に係る電力供給回路は、上記課題を解決するために、電源と、第１負荷と、第２負荷と、前記電源と前記第１負荷とを接続する第１接続線と、前記電源と前記第２負荷とを接続する第２接続線と、前記第１接続線上であって、前記電源と前記第１負荷との間に配置され、前記電源から供給される電圧を前記第１負荷に適した電圧に変換する第１電圧変換部と、前記第１接続線上であって、前記電源と前記第１電圧変換部との間に配置され、所定以上の電流が流れた場合に前記第１接続線を電気的に開放する開放部と、前記開放部と前記第１電圧変換部との間の前記第１接続線に接続されている第３接続線と、前記第３接続線に接続されており、前記開放部により前記第１接続線が電気的に開放されたか否かを判断する開放判断部と、前記第２接続線上であって、前記電源と前記第２負荷との間に配置され、前記電源から供給される電圧を前記第２負荷に適した電圧に変換する第２電圧変換部と、前記開放判断部により前記第１接続線が開放されたと判断した場合に、前記第２電圧変換部と前記第１負荷とを接続し、前記第２電圧変換部と前記第２負荷とを非接続にする制御部を備え、前記制御部は、前記第２電圧変換部と前記第１負荷とを接続した場合、前記電源から供給される電圧を前記第１負荷に適した電圧に変換するように前記第２電圧変換部を制御し、前記第２接続線の始端は、前記電源と前記開放部との間に接続されている構成である。
【発明の効果】
【００１３】
本発明によれば、接続線が電気的に開放された後も負荷を動作させることができる。
【図面の簡単な説明】
【００１４】
【図１】携帯電話装置の外観斜視図である。
【図２】携帯電話装置の第１の構成と動作の説明に供する回路図である。
【図３】開放部（ヒューズ）の溶断前と溶断後におけるスイッチ部の切り替えに際して、制御部が参照する切り替えテーブルを模式的に示す図である。
【図４】ディテクタ回路等によって構成する場合についての説明に供する回路図である。
【図５】携帯電話装置の第２の構成と動作の説明に供する回路図である。
【図６】開放部（ヒューズ）の溶断前と溶断後におけるスイッチ部の切り替えに際して、制御部が参照する切り替えテーブルを模式的に示す図である。
【図７】携帯電話装置の第３の構成と動作の説明に供する回路図である。
【図８】開放部（ヒューズ）の溶断前と溶断後におけるスイッチ部の切り替えに際して、制御部が参照する切り替えテーブルを模式的に示す図である。
【発明を実施するための形態】
【００１５】
以下、本発明の実施の形態について説明する。図１は、本発明に係る携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）でも良い。
【００１６】
携帯電話装置１は、操作部側筐体部２と、表示部側筐体部３とを備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。
【００１７】
また、表示部側筐体部３は、表面部２０に、各種情報を表示するための表示部２１（例えば、ＬＣＤ（Ｌｉｑｕｉｄ  Ｃｒｙｓｔａｌ  Ｄｉｓｐｌａｙ））と、通話の相手側の音声を出力するスピーカ２２とを備えて構成されている。
【００１８】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００１９】
また、携帯電話装置１のヒンジ機構４が形成されているヒンジ部４ａは、上述のように可動する構造になっているので、隙間ができやすく、防水機能の有無に関わらず、そこから粉塵や水分等が微量ながら浸入しやすい構造になっている。なお、この粉塵等は、微量であって携帯電話装置１の動作上、直接的に影響がない程度である。
【００２０】
また、ヒンジ部４ａには、ＦＰＣ（Ｆｌｅｘｉｂｌｅ  Ｐｒｉｎｔｅｄ  Ｃｉｒｃｕｉｔｓ）を通す挿通孔が形成されている。ＦＰＣは、電圧が供給される電圧供給線（電源ライン）を含めて複数の信号線により構成されており、操作部側筐体部２に内蔵される回路基板と表示部側筐体部３に内蔵される回路基板とを電気的に接続している。
【００２１】
また、携帯電話装置１の通常の使用状態では、ＦＰＣは、短絡等の問題が生じないように設計されている。しかし、ヒンジ部４ａでは、上述したように、粉塵等が入りやすく、また、可動するために磨耗しやすい特徴があり、使用の結果、この粉塵等によってＦＰＣが損傷する可能性がある。携帯電話装置１は、ＦＰＣの損傷個所に導電性のある粉塵や、不純物が含まれている水分等が付着すると、短絡する可能性が高まる。
【００２２】
特に、携帯電話装置１は、短絡を起こした信号線が、電源ラインであった場合には、短絡個所に大電流が流れ、場合によっては、発熱や発火のおそれがある。
ここで、携帯電話装置１では、短絡時の保護として、電源部自体に短絡保護機能を設けたり、電源ラインに保護回路（例えば、ヒューズ）を挿入する等の方法が考えられ、以下に電源ラインにヒューズを挿入する構成を採用した場合について説明する。携帯電話装置１は、短絡により大電流が発生した場合には、その大電流によりヒューズが溶断されるので、短絡部分で発熱や発火が発生する前に電源ラインを遮断することができる。
【００２３】
しかしながら、ヒューズの溶断により電源ラインが電気的に遮断されると、携帯電話装置１は、表示部２１への電源供給が突然途絶えるので、画面が見えなくなったり、ユーザによる所望の操作ができなくなったりする。
【００２４】
一方、携帯電話装置１は、短絡が起きてもしばらくヒューズを働かせず、ユーザに一定の動作をさせることは可能であるが、安全性の面から好ましくない。
【００２５】
また、ヒューズは、接続線を物理的に溶断するため、その後、溶断個所が物理的に接続されることはない。よって、携帯電話装置１は、ヒューズが溶断した後は、負荷を動作させることができなくなる。
【００２６】
本実施の形態に係る携帯電話装置１は、ヒューズの溶断によって物理的に電源ラインが遮断した後も、しばらく所定の負荷（例えば、表示部２１）を動作させることが可能な機能を有している。以下に当該機能を発揮するための構成と動作の一例について詳細に説明する。
【００２７】
＜第１実施例＞
携帯電話装置１は、図２に示すように、電力供給回路３０を有している。電力供給回路３０は、電源部３１（電源）と、第１負荷３２と、第１接続線Ｌ１と、第１電圧変換部３３と、開放部３４と、第２接続線Ｌ２と、開放判断部３５と、制御部３６とを備える。また、本実施例では、電源部３１（電源）と、開放部３４と、開放判断部３５と、制御部３６とは、表示部側筐体部３側に配置され、第１負荷３２及び第１電圧変換部３３は、操作部側筐体部２側に配置されているものとするが、この構成に限定されない。
【００２８】
電源部３１（電源）は、リチウムイオン電池等の二次電池に相当する。電源部３１は、操作部側筐体部２の所定の格納場所に格納される。第１負荷３２は、電源部３１から供給された電圧が第１電圧変換部３３によって所定の電圧値に変換され、変換後の電圧に基づいて駆動する負荷であり、例えば、表示部２１等が該当する。
【００２９】
第１接続線Ｌ１は、電源部３１と第１負荷３２とを接続する接続線である。また、第１接続線Ｌ１は、具体的には、電源ラインに相当する。
第１電圧変換部３３は、第１接続線Ｌ１上であって、電源部３１と第１負荷３２との間に配置され、電源部３１から供給される電圧を第１負荷３２に適した電圧に変換し、変換後の電圧を第１負荷３２に供給する。
【００３０】
開放部３４は、第１接続線Ｌ１上であって、電源部３１と第１電圧変換部３３との間に配置され、所定以上の電流が流れた場合に第１接続線Ｌ１を電気的に開放する。開放部３４は、例えば、ヒューズによって構成されており、例えば、図２中のヒンジ部４ａの所定の個所（図２中のＸ）で短絡が発生した場合に、短絡個所に所定値以上の大電流が供給される前に、その熱によってヒューズが溶断することにより、第１接続線Ｌ１を電気的に開放する。携帯電話装置１は、このようにして、短絡個所での発熱を防止する。
【００３１】
また、第２接続線Ｌ２は、開放部３４と第１電圧変換部３３との間の第１接続線Ｌ１に接続されている接続線である。
【００３２】
開放判断部３５は、第２接続線Ｌ２に接続されており、開放部３４により第１接続線Ｌ１が電気的に開放されたか否かを判断する。制御部３６は、開放判断部３５により第１接続線Ｌ１が開放されたと判断した場合に、電源部３１と開放部３４との間の第１接続線Ｌ１と第２接続線Ｌ２とを接続状態に切り替える。
【００３３】
ここで、制御部３６による具体的な切り替え方法について図３を用いて説明する。
なお、第１スイッチ部ＳＷ１は、図２に示すように、第２接続線Ｌ２上であって、開放判断部３５の直前に設けられている。第２スイッチ部ＳＷ２は、図２に示すように、第１接続線Ｌ１と第２接続線Ｌ２を結線する接続線上に設けられている。第３スイッチ部ＳＷ３は、図２に示すように、第１接続線Ｌ１上であって、表示部側筐体部３側に設けられている。
【００３４】
制御部３６は、図３に示すように、第１スイッチ部ＳＷ１をＯＮ状態（通電状態）、第２スイッチ部ＳＷ２をＯＦＦ状態（遮断状態）、第３スイッチ部ＳＷ３をＯＮ状態に制御する。また、携帯電話装置１は、この状態が定常状態（デフォルト状態）である。
【００３５】
また、制御部３６は、開放判断部３５により第１接続線Ｌ１が電気的に開放されたと判断した場合に、第１スイッチ部ＳＷ１をＯＦＦ状態、第２スイッチ部ＳＷ２をＯＮ状態、第３スイッチ部ＳＷ３をＯＦＦ状態に制御する。
【００３６】
これは、第１スイッチ部ＳＷ１をＯＮ状態のままにしておくと、第２スイッチ部ＳＷ２を介して電源部３１から電圧が供給され、論理レベルがＬｏｗ状態からＨｉｇｈ状態に変化してしまい、誤動作の原因になる。したがって、制御部３６は、第１スイッチ部ＳＷ１をＯＦＦ状態に切り替える制御を行う。
【００３７】
また、第３スイッチ部ＳＷ３をＯＮ状態のままにしておくと、バイパス経路（図２中Ｒ２）を経て短絡個所に導通し、短絡個所に大電流が流れてしまうおそれがある。したがって、制御部３６は、第３スイッチ部ＳＷ３をＯＦＦ状態に切り替える制御を行う。
【００３８】
また、携帯電話装置１は、各スイッチ部の制御に安定性をもたせるために、図２に示すように、各制御線にＲＣ回路を挿入する構成であっても良い。このような構成によれば、携帯電話装置１は、例えば、第３スイッチ部ＳＷ３をＯＦＦ状態に切り替え、その後、第１スイッチ部ＳＷ１をＯＦＦ状態に切り替え、そして、第２スイッチ部ＳＷ２をＯＮ状態に切り替えるように、時定数を持たせて切り替え制御を行うことができる。
【００３９】
このように構成されることにより、携帯電話装置１は、開放部３４により第１接続線Ｌ１が開放される前の状態（溶断前の状態）には、通常経路（図２中のＲ１）で電源部３１から第１電圧変換部３３に電圧が供給されるが、開放部３４により第１接続線Ｌ１が開放された状態（溶断後の状態）には、バイパス経路（図２中のＲ２）で電源部３１から第１電圧変換部３３に電圧が供給される。
【００４０】
したがって、携帯電話装置１は、短絡が生じた場合に、第１接続線Ｌ１を開放状態にしつつ、バイパス経路で電源の供給を継続するので、第１接続線Ｌ１が溶断しても表示部２１が突然消えることがなく、しばらく動作させることができ、かつ、短絡が生じた場合に直ぐに第１接続線Ｌ１を開放するので安全性を確保することができる。
【００４１】
また、制御部３６は、バイパス経路を経て第１負荷３２としての表示部２１に電圧が供給されている場合、例えば、「機能制限中」等の表示をしたり、安全確保モード等のモードに移行し、ユーザに注意を促す構成であっても良い。
【００４２】
また、携帯電話装置１は、第３スイッチ部ＳＷ３をスイッチ部ではなく、開放部３４（ヒューズ）と同様の構成にしても良い。このような構成の場合には、携帯電話装置１は、短絡が発生し、開放部３４が溶断され、その後、バイパス経路を経て第３スイッチ部ＳＷ３に代替されたヒューズも溶断される。したがって、携帯電話装置１は、第３スイッチ部ＳＷ３を設けない構成にすることができ、コストダウンを図ることができる。
【００４３】
また、開放判断部３５は、開放部３４が電気的に開放されていない場合には、第２接続線Ｌ２を介して所定の電圧を検出すると共に、開放部３４が電気的に開放されて第２接続線Ｌ２を介して所定の電圧の検出ができなくなった場合に、開放部３４と第１電圧変換部３３との間の第１接続線Ｌ１が短絡状態になったことを検出する短絡検出部により構成されることが好ましい。
【００４４】
具体的には、第２接続線Ｌ２には、図２に示すように、プルダウン抵抗４２が接続されている。開放判断部３５は、通常は、第２接続線Ｌ２を介して所定の電圧が印加されており、論理レベルがＨｉｇｈ状態にあり、開放部３４が電気的に開放されることにより、第２接続線Ｌ２を介して所定の電圧が印加されなくなると、プルダウン抵抗４２により論理レベルがＬｏｗ状態に変化する。開放判断部３５は、このＨｉｇｈ状態からＬｏｗ状態に論理レベルが変化した場合に、第１接続線Ｌ１が短絡状態になったことを検出する。
【００４５】
ここで、開放判断部３５と制御部３６は一体的にＣＰＵとして構成されていても良い。この場合には、開放判断部３５は、短絡検出ポートとして機能し、制御部３６は、スイッチ制御ポートとして機能する。
【００４６】
このように構成されることにより、携帯電話装置１は、第１接続線Ｌ１が短絡したことを的確に把握することができる。
【００４７】
また、本実施例では、制御部３６により、各スイッチ部の切り替え制御を行う構成について説明したがこれに限られず、ディテクタ回路やラッチ回路等の処理回路４３によって各スイッチ部の切り替え制御を行う構成であっても良い（図４を参照。）。例えば、処理回路４３としてのディテクタ回路によって入力される電圧が所定の閾値を超えているか否かを判断し、超えていれば開放部３４（ヒューズ）が溶断していないと判断し、超えていなければヒューズが溶断していると判断し、各スイッチ部を切り替え制御する。このような構成にすることによって、制御部３６を削減することができ、ＧＰＩＯの数を低減させることができる。
【００４８】
また、携帯電話装置１は、図２に示すように、第１負荷３２とは異なる複数の負荷４１ａ〜４１ｎと、第３接続線Ｌ３と、第２電圧変換部３９を備える。
【００４９】
第３接続線Ｌ３は、電源部３１と複数の負荷４１ａ〜４１ｎとを接続する接続線である。第２電圧変換部３９は、第３接続線Ｌ３上であって、電源部３１と複数の負荷４１ａ〜４１ｎとの間に配置され、電源部３１から供給される電圧を複数の負荷４１ａ〜４１ｎに適した電圧に変換し、変換後の電圧を各負荷に供給する。
【００５０】
第３接続線Ｌ３の始端Ｓは、開放部３４と第１電圧変換部３３との間であって、第１接続線Ｌ１と第２接続線Ｌ２の接続点Ｐ１と、第１電圧変換部３３の間に接続されている。
【００５１】
制御部３６は、開放判断部３５により第１接続線Ｌ１が電気的に開放されたと判断し、電源部３１と開放部３４との間の第１接続線Ｌ１と第２接続線Ｌ２を接続状態に切り替えた場合に、第１負荷３２を含め、動作対象となる負荷を複数の負荷４１ａ〜４１ｎの中から選択し、選択された負荷にのみ電圧を供給する。
【００５２】
このように構成されることにより、携帯電話装置１は、第１接続線Ｌ１が短絡し、バイパス経路（図２中のＲ２）で電圧を供給する場合に、必要な負荷にのみ電圧を供給することができる。
【００５３】
特に、開放判断部３５が短絡検出部によって構成され、バイパス経路Ｒ２が短絡検出部と第１接続線Ｌ１とを接続する短絡検出線である場合には、一般に短絡検出線には大きな電圧を供給することができないので、必要な負荷にのみ電圧を供給する構成が有効である。
【００５４】
なお、第２電圧変換部３９は、複数の負荷４１ａ〜４１ｎの数だけ設けられ、複数の負荷４１ａ〜４１ｎそれぞれに個別的に設けられる構成であっても良い。また、第２電圧変換部３９は、複数の負荷４１ａ〜４１ｎそれぞれに適した電圧に変換可能に構成され、変換後の電圧を複数の負荷４１ａ〜４１ｎに供給する構成であっても良い。
【００５５】
また、第１負荷３２は、表示部２１であることが好ましい。このような構成の場合には、制御部３６は、開放判断部３５により第１接続線Ｌ１が電気的に開放されたと判断し、電源部３１と開放部３４との間の第１接続線Ｌ１と第２接続線Ｌ２を接続状態に切り替えた場合に、表示部２１に第１接続線Ｌ１が電気的に開放されたことに関する情報を表示する。
【００５６】
例えば、制御部３６は、第１接続線Ｌ１が短絡し、バイパス経路（図２中のＲ２）で電圧を第１電圧変換部３３に供給されるように制御し、第１負荷３２としての表示部２１に「故障が発生しました。ショップにお届けください。故障ＩＤ：０００１」等の情報を表示するように制御する。
【００５７】
したがって、携帯電話装置１は、短絡が生じた場合に、第１接続線Ｌ１を開放状態にしつつ、バイパス経路で電源の供給を継続し、表示部２１等に必要な情報を表示させることができ、かつ、短絡が生じた場合に直ぐに第１接続線Ｌ１を開放するので安全性を確保することができる。
【００５８】
＜第２実施例＞
携帯電話装置１は、図５に示すように、電力供給回路５０を有している。電力供給回路５０は、電源部５１と、第１負荷５２と、第２負荷５３と、第１接続線Ｌ１１と、第２接続線Ｌ１２と、第１電圧変換部５４と、開放部５５と、第３接続線Ｌ１３と、開放判断部５６と、第２電圧変換部５７と、制御部５８を備える。また、本実施例では、電源部５１と、開放部５５と、第２電圧変換部５７とは、表示部側筐体部３側に配置され、第１負荷５２と、第２負荷５３と、第１電圧変換部５４と、開放判断部５６と、制御部５８とは、操作部側筐体部２側に配置されているものとするが、この構成に限定されない。
【００５９】
第１接続線Ｌ１１は、電源部５１と第１負荷５２とを接続する接続線である。また、第１接続線Ｌ１は、具体的には、電源ラインに相当する。第２接続線Ｌ１２は、電源部５１と第２負荷５３とを接続する接続線である。
【００６０】
第１電圧変換部５４は、第１接続線Ｌ１１上であって、電源部５１と第１負荷５２との間に配置され、電源部５１から供給される電圧を第１負荷５２に適した電圧に変換し、変換後の電圧を第１負荷５２に供給する。
【００６１】
開放部５５は、第１接続線Ｌ１１上であって、電源部５１と第１電圧変換部５４との間に配置され、所定以上の電流が流れた場合に第１接続線Ｌ１１を電気的に開放する。また、開放部５５は、例えば、ヒューズによって構成されており、図５中のヒンジ部４ａの所定の個所（図５中のＸ）で短絡が発生した場合に、短絡個所に所定値以上の大電流が供給される前に、その熱によってヒューズが溶断することにより、第１接続線Ｌ１１を電気的に開放する。携帯電話装置１は、このようにして短絡個所での発熱を防止する。
【００６２】
開放判断部５６は、第３接続線Ｌ１３に接続されており、開放部５５により第１接続線Ｌ１１が電気的に開放されたか否かを判断する。第２電圧変換部５７は、第２接続線Ｌ１２上であって、電源部５１と第２負荷５３との間に配置され、電源部５１から供給される電圧を第２負荷５３に適した電圧に変換し、変換後の電圧を第２負荷５３に供給する。
【００６３】
制御部５８は、開放判断部５６により第１接続線Ｌ１１が開放されたと判断した場合に、第２電圧変換部５７と第１負荷５２とを接続状態に切り替え、第２電圧変換部５７と第２負荷５３とを非接続状態に切り替える。
【００６４】
また、制御部５８は、第２電圧変換部５７と第１負荷５２を接続状態に切り替える場合、電源部５１から供給される電圧を第１負荷５２に適した電圧に変換するように第２電圧変換部５７を制御する。第２接続線Ｌ１２の始端Ｓは、電源部５１と開放部５５との間に接続されている。
【００６５】
また、第３接続線Ｌ１３は、開放部５５と第１電圧変換部５４との間の第１接続線Ｌ１１に接続されている接続線である。図５に示す例では、第３接続線Ｌ１３は、第１負荷５２とは異なる負荷５９に電力を供給するための複数の接続線Ｌ１ｎが接続されている。なお、負荷５９は、電圧変換部６０で変換された電圧の供給を受けて所定の機能を発揮する。例えば、負荷５９がＬＥＤであれば、発光等の動作を行う。
【００６６】
また、第３接続線Ｌ１３は、プルダウン抵抗６１が接続されている。開放判断部５６は、通常は、第３接続線Ｌ１３を介して所定の電圧が印加されており、論理レベルがＨｉｇｈ状態にあり、開放部５５が電気的に開放されることにより、第３接続線Ｌ１３を介して所定の電圧が印加されなくなると、プルダウン抵抗６１により論理レベルがＬｏｗ状態に変化する。開放判断部５６は、このＨｉｇｈ状態からＬｏｗ状態に論理レベルが変化した場合に、第１接続線Ｌ１１が短絡状態になったことを検出する。
【００６７】
ここで、制御部５８による具体的な切り替え方法について図６を用いて説明する。
なお、第１スイッチ部ＳＷ１１は、図５に示すように、第２接続線Ｌ１２上であって、第２負荷５３の直前に設けられている。第２スイッチ部ＳＷ１２は、図５に示すように、第１接続線Ｌ１１と第２接続線Ｌ１２を結線する接続線上に設けられている。第３スイッチ部ＳＷ１３は、図５に示すように、第１接続線Ｌ１１上であって、第１電圧変換部５４と第１負荷５２との間に設けられている。
【００６８】
制御部５８は、図６に示すように、第１接続線Ｌ１１が電気的に接続されている状態の場合には、第１スイッチ部ＳＷ１１をＯＮ状態（通電状態）に制御し、第２スイッチ部ＳＷ１２をＯＦＦ状態（遮断状態）に制御し、第３スイッチ部ＳＷ１３をＯＮ状態に制御する。携帯電話装置１は、このようなスイッチ状態が定常状態（デフォルト状態）である。
【００６９】
また、制御部５８は、開放判断部５６により第１接続線Ｌ１１が電気的に開放されたと判断した場合に、第１スイッチ部ＳＷ１１をＯＦＦ状態に制御し、第２スイッチ部ＳＷ１２をＯＮ状態に制御し、第３スイッチ部ＳＷ１３をＯＦＦ状態に制御する。
【００７０】
第２電圧変換部５７は、開放部５５により第１接続線Ｌ１１が電気的に開放された場合、電源部５１から供給される電圧を第１負荷５２に適した電圧に変換する。ここで、第１負荷５２は、第２負荷５３よりも高電圧で動作する。
【００７１】
よって、第１スイッチ部ＳＷ１１をＯＮ状態のままにしておくと、高電圧が第２負荷５３に供給され、第２負荷５３の故障の原因となる。したがって、制御部３６は、第１スイッチ部ＳＷ１１をＯＦＦ状態に切り替える制御を行う。
【００７２】
また、第３スイッチ部ＳＷ１３をＯＮ状態のままにしておくと、バイパス経路（図２中Ｒ２）を経て供給される電圧が、第１電圧変換部５４にも供給されてしまい、第１電圧変換部５４の故障の原因となる。したがって、制御部３６は、第３スイッチ部ＳＷ１３をＯＦＦ状態に切り替える制御を行う。
【００７３】
このように構成されることにより、携帯電話装置１は、開放部５５により第１接続線Ｌ１１が開放される前の状態（溶断前の状態）には、通常経路（図５中のＲ１）で電源部５１から第１電圧変換部５４に電圧が供給される。また、携帯電話装置１は、開放部５５により第１接続線Ｌ１１が開放された状態（溶断後の状態）には、バイパス経路（図５中のＲ２）で電源部５１から第２電圧変換部５７に電圧が供給される。この場合には、第２電圧変換部５７は、電源部５１から供給される電圧を第１負荷５２（例えば、表示部２１）に適した電圧に変換し、変換後の電圧を第２スイッチ部ＳＷ１２を介して第１負荷５２に供給する。
【００７４】
したがって、携帯電話装置１は、短絡が生じた場合に、第１接続線Ｌ１１を短絡個所の手前で開放状態にしつつ、バイパス経路で電源の供給を継続するので、第１接続線Ｌ１１が溶断しても表示部２１が突然消えることがなく、しばらく動作させることができ、かつ、短絡が生じた場合に直ぐに第１接続線Ｌ１１を開放するので安全性を確保することができる。
【００７５】
また、第２実施例では、バイパス経路として、他の負荷に電圧を供給していた電源ラインを使用して第１負荷５２に電圧を供給するため、第１実施例に比べて長く第１負荷５２を駆動することが可能である。
【００７６】
また、携帯電話装置１は、第２電圧変換部５７に接続されている第２負荷５３に対して、電源ラインの他に、リセット信号を供給するリセットラインやデータが供給されるデータラインが存在する場合、第１スイッチ部ＳＷ１１をＯＦＦ状態にする前に、第２負荷５３に対してリセット信号を供給してリセットの論理状態にし、かつ、第２負荷５３を動作不可になるようにソフトウェアで設定する。
【００７７】
また、開放判断部５６（短絡検出ポート）は、操作部側筐体部２から供給される構成であっても良いが、当該構成にすることができず、かつ、代替的に供給もできない場合には、ＧＮＤラインを利用して、代替する方法であっても良い。
【００７８】
また、各スイッチ部は、ＦＥＴやトランジスタによる構成が考えられるが、第３スイッチ部ＳＷ１３は、ヒューズの溶断前において電圧降下が許容できればダイオードによって構成されても良い。なお、第２スイッチ部ＳＷ１２が第３スイッチ部ＳＷ１３よりも低い電圧ならば第２スイッチ部ＳＷ１２も場合によってはダイオードによって構成されても良い。
【００７９】
＜第３実施例＞
つぎに、第１負荷としての表示部２１に変換後の電圧を供給する電圧変換部が表示部側筐体部３に配置され、かつ、電源部から表示部側筐体部３に電圧が供給される電源ラインが二本形成されている構成例について以下に説明する。
【００８０】
携帯電話装置１は、図７に示すように、電力供給回路７０を有している。電力供給回路７０は、電源部７１と、第１負荷７２と、第２負荷７３と、第１接続線Ｌ２１と、第２接続線Ｌ２２と、第１電圧変換部７４と、第１開放部７５と、第３接続線Ｌ２３と、開放判断部７６と、第２電圧変換部７７と、制御部７８と、第２開放部７９を備える。また、本実施例では、電源部７１と、第１開放部７５と、開放判断部７６と、制御部７８と、第２開放部７９とは、表示部側筐体部３側に配置され、第１負荷７２と、第２負荷７３と、第１電圧変換部７４と、第２電圧変換部７７とは、操作部側筐体部２側に配置されているものとするが、この構成に限定されない。
【００８１】
第１接続線Ｌ２１は、電源部７１と第１負荷７２とを接続する接続線である。第１接続線Ｌ１は、具体的には、電源ラインに相当する。第２接続線Ｌ２２は、電源部７１と第２負荷７３とを接続する接続線である。
【００８２】
第１電圧変換部７４は、第１接続線Ｌ２１上であって、電源部７１と第１負荷７２との間に配置され、電源部７１から供給される電圧を第１負荷７２に適した電圧に変換し、変換後の電圧を第１負荷７２に供給する。
【００８３】
第１開放部７５は、第１接続線Ｌ２１上であって、電源部７１と第１電圧変換部７４との間に配置され、所定以上の電流が流れた場合に第１接続線Ｌ２１を電気的に開放する。また、第１開放部７５は、例えば、ヒューズによって構成されており、ヒンジ部４ａの所定の個所（例えば、図７中のＸ）で短絡が発生した場合に、短絡個所に所定値以上の大電流が供給される前に、その熱によってヒューズが溶断することにより、第１接続線Ｌ２１を電気的に開放する。携帯電話装置１は、このようにして短絡個所での発熱を防止する。
【００８４】
開放判断部７６は、第３接続線Ｌ２３に接続されており、第１開放部７５により第１接続線Ｌ２１が電気的に開放されたか否かを判断する。第２電圧変換部７７は、第２接続線Ｌ２２上であって、電源部７１と第２負荷７３との間に配置され、電源部７１から供給される電圧を第２負荷７３に適した電圧に変換し、変換後の電圧を第２負荷７３に供給する。
【００８５】
第２開放部７９は、第２接続線Ｌ２２上であって、電源部７１と第２電圧変換部７７との間に配置され、所定以上の電流が流れた場合に第２接続線Ｌ２２を電気的に開放する。また、第２開放部７９は、例えば、ヒューズによって構成されており、第２接続線Ｌ２２上の所定の個所で短絡が発生した場合に、短絡個所に所定値以上の大電流が供給される前に、その熱によってヒューズが溶断することにより、第２接続線Ｌ２２を電気的に開放する。携帯電話装置１は、このようにして短絡個所での発熱を防止する。
【００８６】
制御部７８は、開放判断部７６により第１接続線Ｌ２１が開放されたと判断した場合に、表示部側筐体部３において、第１接続線Ｌ２１と第２接続線Ｌ２２を電気的に接続し、かつ、第１接続線Ｌ２１上であって、第１接続線Ｌ２１と第２接続線Ｌ２２が結線される個所よりもヒンジ部４ａ側の所定の個所を非接続状態に切り替える。これは、第２接続線Ｌ２２から供給される電圧を第１電圧変換部７４に供給し、短絡個所に供給しないようにするためである。
【００８７】
また、制御部７８は、第１接続線Ｌ２１と第２接続線Ｌ２２を電気的に接続する場合、第２電圧変換部７７を制御して、第２負荷７３を働かせないように制御しても良いし、また、通常通りに第２負荷７３を働かせるように、第２負荷７３に適した電圧に変換し、変換後の電圧を第２負荷７３に供給するように制御しても良い。
【００８８】
第２接続線Ｌ２２の始端Ｓは、電源部７１と第１開放部７５との間に接続されている。
また、第３接続線Ｌ２３は、第１開放部７５と第１電圧変換部７４との間の第１接続線Ｌ２１に接続されている接続線である。
【００８９】
第３接続線Ｌ２３は、プルダウン抵抗８０が接続されている。開放判断部７６は、通常は、第３接続線Ｌ２３を介して所定の電圧が印加されており、論理レベルがＨｉｇｈ状態にあり、第１開放部７５が電気的に開放されることにより、第３接続線Ｌ２３を介して所定の電圧が印加されなくなると、プルダウン抵抗８０により論理レベルがＬｏｗ状態に変化する。開放判断部７６は、このＨｉｇｈ状態からＬｏｗ状態に論理レベルが変化した場合に、第１接続線Ｌ２１が短絡状態になったことを検出する。
【００９０】
また、図７に示す例では、第１接続線Ｌ２１は、第１負荷７２とは異なる負荷８１に電力を供給するための複数の接続線Ｌ２ｎが接続されている。なお、負荷８１は、電圧変換部８２で変換された電圧の供給を受けて所定の機能を発揮する。例えば、負荷８１がＬＥＤであれば、発光等の動作を行う。
【００９１】
制御部７８は、短絡が生じた場合に、第１電圧変換部７４を制御して、負荷８１を働かせないように制御しても良いし、また、通常通りに負荷８１を働かせるように、負荷８１に適した電圧に変換し、変換後の電圧を負荷８１に供給するように制御しても良い。
【００９２】
ここで、制御部７８による具体的な切り替え方法について図８を用いて説明する。
なお、第１スイッチ部ＳＷ２１は、図７に示すように、表示部側筐体部３であって、第１接続線Ｌ２１と第２接続線Ｌ２２を結線する接続線上に設けられている。第２スイッチ部ＳＷ２２は、図７に示すように、第１接続線Ｌ２１上であって、第１接続線Ｌ２１と第２接続線Ｌ２２が結線される個所よりもヒンジ部４ａ側の所定の個所に設けられている。
【００９３】
制御部７８は、図８に示すように、第１スイッチ部ＳＷ２１をＯＦＦ状態（遮断状態）に制御し、かつ第２スイッチ部ＳＷ２２をＯＮ状態（通電状態）に制御する。また、携帯電話装置１は、この状態が定常状態（デフォルト状態）である。
【００９４】
また、制御部７８は、開放判断部７６により第１接続線Ｌ２１が電気的に開放されたと判断した場合に、第１スイッチ部ＳＷ２１をＯＮ状態に制御し、第２スイッチ部ＳＷ２２をＯＦＦ状態に制御する。
【００９５】
第２スイッチ部ＳＷ２２をＯＮ状態のままにしておくと、バイパス経路（図７中Ｒ２）を経て短絡個所に導通し、短絡個所に大電流が流れてしまうおそれがある。したがって、制御部３６は、第２スイッチ部ＳＷ２２をＯＦＦ状態に切り替える制御を行う。
【００９６】
このように構成されることにより、携帯電話装置１は、第１開放部７５により第１接続線Ｌ２１が開放される前の状態（溶断前の状態）には、通常経路（図７中のＲ１）で電源部７１から第１電圧変換部７４に電圧が供給される。また、携帯電話装置１は、第１開放部７５により第１接続線Ｌ２１が開放された状態（溶断後の状態）には、バイパス経路（図７中のＲ２）で電源部７１から第１電圧変換部７４に電圧が供給される。
【００９７】
したがって、携帯電話装置１は、短絡が生じた場合に、第１接続線Ｌ２１を短絡個所の手前で開放状態にしつつ、バイパス経路で電圧の供給を継続するので、第１接続線Ｌ２１が溶断しても表示部２１が突然消えることがなく、しばらく動作させることができ、かつ、短絡が生じた場合に直ぐに第１接続線Ｌ２１を開放するので安全性を確保することができる。
【００９８】
また、第３実施例では、バイパス経路として、他の負荷に電圧を供給していた電源ラインを使用して第１負荷７２に電圧を供給するため、第１実施例に比べて長く第１負荷７２を駆動することが可能である。
【符号の説明】
【００９９】
１  携帯電話装置
２１  表示部
３０、５０、７０  電力供給回路
３１、５１、７１  電源部（電源）
３２、５２、７２  第１負荷
３３、５４、７４  第１電圧変換部
３４、５５  開放部
３５、５６、７６  開放判断部
３６、５８、７８  制御部
３９、５７、７７  第２電圧変換部
５３、７３  第２負荷
７５  第１開放部
７９  第２開放部
Ｌ１、Ｌ１１、Ｌ２１  第１接続線
Ｌ２、Ｌ１２、Ｌ２２  第２接続線
Ｌ１３、Ｌ２３  第３接続線
【図１】
2012023905.tif 000003
【図２】
2012023905.tif 000004
【図３】
2012023905.tif 000005
【図４】
2012023905.tif 000006
【図５】
2012023905.tif 000007
【図６】
2012023905.tif 000008
【図７】
2012023905.tif 000009
【図８】
2012023905.tif 000010